(57)【要約】      （修正有）【課題】駆動損失が少なく、応答性および機動性に優れるとともに、小型カメラへの搭載に適したレンズ駆動装置の提供。【解決手段】本レンズ駆動装置は、断面コ字形状で円筒形を成す第１ヨーク７と、第１ヨーク７の外側に第１ヨーク７と略同心的に配置された断面コ字形状で円筒形を成す第２ヨーク１２と、第１および第２ヨーク７，１２が装着されるベース２と、第１および第２ヨーク７，１２のそれぞれのコ字の内部に配置されたマグネット６，１１およびコイル４，９と、第１ヨーク７の内周側に配置され且つ外周にコイル４が固定された第１レンズ支持体５と、第２ヨーク１２の内周側に配置され且つ外周にコイル９が固定された第２レンズ支持体１０とを備え、第１および第２レンズ支持体５，１０は、コイル４，９に通電して生じる電磁力によりレンズの光軸方向にリニアに移動する。【選択図】図１
2005234089.tif 000002
【特許請求の範囲】
【請求項１】
断面コ字形状で円筒形を成す第１ヨークと、
第１ヨークの外側に第１ヨークと略同心的に配置された断面コ字形状で円筒形を成す第２ヨークと、
第１および第２ヨークが装着されるベースと、
第１および第２ヨークのそれぞれのコ字の内部に配置されたマグネットおよびコイルと、
第１ヨークの内周側に配置され且つ外周にコイルが固定された第１レンズ支持体と、
第２ヨークの内周側に配置され且つ外周にコイルが固定された第２レンズ支持体と、
を備え、
第１および第２レンズ支持体は、コイルに通電して生じる電磁力によりレンズの光軸方向にリニアに移動することを特徴とするレンズ駆動装置。
【請求項２】
第１レンズ支持体は、第１ヨークと摩擦係合することにより光軸方向に摺動し、第２レンズ支持体は、第２ヨークと摩擦係合することにより光軸方向に摺動することを特徴とする請求項１に記載のレンズ駆動装置。
【請求項３】
第１および第２ヨークは互いに略同心的に配置された内側周壁と外側周壁とを有し、内側周壁には、その周方向に沿って所定の間隔で複数の脚部が形成され、これらの脚部が第１および第２レンズ支持体の内面と摺接することを特徴とする請求項２に記載のレンズ駆動装置。
【請求項４】
第１および第２レンズ支持体は、互いに略同心的に配置された内側周壁および外側周壁と、内側周壁と外側周壁とを接続して内側周壁と外側周壁との間に複数の区画された空間を形成する区画壁とを有し、第１および第２ヨークの脚部が前記空間内に個別に収容されることにより、脚部が第１および第２レンズ支持体の周壁と摺接することを特徴とする請求項３に記載のレンズ駆動装置。
【請求項５】
第１レンズ支持体と第２レンズ支持体とが光軸方向に沿って互いに離間して位置されていることを特徴とする請求項１ないし請求項４のいずれか１項に記載のレンズ駆動装置。
【請求項６】
第１および第２レンズ支持体がスプリングによって保持されており、スプリングは、コイルに通電していない状態においてレンズ支持体をベースに向けて付勢していることを特徴とする請求項１または請求項５に記載のレンズ駆動装置。
【発明の詳細な説明】
【技術分野】
【０００１】
本発明は、デジタルカメラや携帯電話等に内蔵される携帯型小型カメラ等において用いられるズームレンズおよびオートフォーカスレンズを駆動させるためのレンズ駆動装置に関する。
【背景技術】
【０００２】
一般に、ズームレンズとフォーカスレンズとを使用して、自動焦点（オートフォーカス）および倍率変更の両方を行えるレンズ駆動装置は、従来から知られている。また、そのようなレンズ駆動装置においては、通常、ボールネジ等を用いた回転運動を直線運動に変換することによりレンズを光軸方向に移動させている（例えば、特許文献１参照）。
【０００３】
【特許文献１】特開平７−１４０５２３号公報
【発明の開示】
【発明が解決しようとする課題】
【０００４】
ところで、携帯型小型カメラに用いられるレンズ駆動装置においては、狭い空間内でレンズを光軸方向に所望量だけ効率的に移動させることが要求される。
【０００５】
しかしながら、従来のようにボールネジ等を用いた回転運動を直線運動に変換することによりレンズを光軸方向に移動させる構成を携帯型小型カメラに用いると、推力の方向とレンズの移動方向とが同じでないことから、駆動損失が大きくなり、それに伴って、レンズの移動速度が遅くなったり、応答性が鈍くなったりする可能性がある。
【０００６】
本発明は、前記事情に着目してなされたものであり、その目的とするところは、駆動損失が少なく、応答性および機動性に優れるとともに、小型カメラへの搭載に適したレンズ駆動装置を提供することにある。
【課題を解決するための手段】
【０００７】
請求項１に記載の発明は、断面コ字形状で円筒形を成す第１ヨークと、第１ヨークの外側に第１ヨークと略同心的に配置された断面コ字形状で円筒形を成す第２ヨークと、第１および第２ヨークが装着されるベースと、第１および第２ヨークのそれぞれのコ字の内部に配置されたマグネットおよびコイルと、第１ヨークの内周側に配置され且つ外周にコイルが固定された第１レンズ支持体と、第２ヨークの内周側に配置され且つ外周にコイルが固定された第２レンズ支持体とを備え、第１および第２レンズ支持体は、コイルに通電して生じる電磁力によりレンズの光軸方向にリニアに移動することを特徴とする。
【０００８】
請求項２に記載の発明は、請求項１に記載の発明において、第１レンズ支持体は、第１ヨークと摩擦係合することにより光軸方向に摺動し、第２レンズ支持体は、第２ヨークと摩擦係合することにより光軸方向に摺動することを特徴とする。
【０００９】
請求項３に記載の発明は、請求項２に記載の発明において、第１および第２ヨークは互いに略同心的に配置された内側周壁と外側周壁とを有し、内側周壁には、その周方向に沿って所定の間隔で複数の脚部が形成され、これらの脚部が第１および第２レンズ支持体の内面と摺接することを特徴とする。
【００１０】
請求項４に記載の発明は、請求項３に記載の発明において、第１および第２レンズ支持体は、互いに略同心的に配置された内側周壁および外側周壁と、内側周壁と外側周壁とを接続して内側周壁と外側周壁との間に複数の区画された空間を形成する区画壁とを有し、第１および第２ヨークの脚部が前記空間内に個別に収容されることにより、脚部が第１および第２レンズ支持体の周壁と摺接することを特徴とする。
【００１１】
請求項５に記載の発明は、請求項１ないし請求項４のいずれか１項に記載の発明において、第１レンズ支持体と第２レンズ支持体とが光軸方向に沿って互いに離間して位置されていることを特徴とする。
【００１２】
請求項６に記載の発明は、請求項１または請求項５に記載の発明において、第１および第２レンズ支持体がスプリングによって保持されており、スプリングは、コイルに通電していない状態においてレンズ支持体をベースに向けて付勢していることを特徴とする。
【発明の効果】
【００１３】
請求項１に記載の発明によれば、第１および第２レンズ支持体は、コイルに通電して生じる電磁力によりレンズの光軸方向にリニアに移動するため、推力の方向とレンズ支持体（レンズ）の移動方向とが一致し、したがって、駆動損失が極めて少ない。その結果、レンズの移動速度を速くでき、応答性を高めることができる。すなわち、駆動損失が少なく、応答性および機動性に優れているため、狭い空間内でレンズを光軸方向に所望量だけ効率的に移動させることができ、小型カメラへの搭載に適している。
【００１４】
また、第１ヨークと第２ヨークとが（したがって、ヨーク内に収容されたマグネットおよびコイル同士も）互いに同心的に配置されているため、レンズ駆動装置全体の小型化を図ることができる。
【００１５】
また、レンズ支持体は電磁力により移動するものであり、従来のような歯車やカム溝との係合がないのでこれらの精度誤差によるガタツキを防止できるとともに、歯車やカムがないので小型化を図ることができる。
【００１６】
請求項２に記載の発明によれば、請求項１に記載の発明と同様の作用効果を得ることができるとともに、第１および第２レンズ支持体は、第１および第２ヨークと摩擦係合することにより光軸方向に摺動するようになっているため、レンズ支持体の保持性および機動性に優れ、フォーカスレンズ等の微妙な動きや、ズームレンズ等における倍率固定の要求を十分に満たすことができる。
【００１７】
請求項３に記載の発明によれば、請求項２に記載の発明と同様の作用効果を得ることができるとともに、周方向に配置されたヨークの複数の脚部がレンズ支持体の内面と摺接するようになっているため、ヨークに対するレンズ支持体の保持力を十分に確保した状態で、滑らかな摺動を得ることができる。
【００１８】
請求項４に記載の発明によれば、請求項３に記載の発明と同様の作用効果を得ることができるとともに、ヨークの脚部がレンズ支持体の区画された空間内に個別に収容されることにより、脚部がレンズ支持体の周壁と摺接するようになっているため、ヨークおよびレンズ支持体の周方向のガタつきを確実に防止して、レンズ支持体のリニアな移動を確実且つ良好に実現することができる。
【００１９】
請求項５に記載の発明によれば、請求項１ないし請求項４のいずれか１項に記載の発明と同様の作用効果を得ることができるとともに、第１レンズ支持体と第２レンズ支持体とが光軸方向に沿って互いに離間して位置されているため、例えば第１レンズ支持体と第２レンズ支持体とにそれぞれズームレンズおよびフォーカスレンズを支持するようにすれば、自動焦点機構および倍率変更機能を兼ね備えたコンパクトな装置を効率的に実現することができる。
【００２０】
請求項６に記載の発明によれば、請求項１または請求項５に記載の発明と同様の作用効果を得ることができるとともに、第１および第２レンズ支持体がスプリングによって保持され、スプリングが、コイルに通電していない状態においてレンズ支持体をベースに向けて付勢しているため、ヨークに対するレンズ支持体の保持力を十分に確保することができるとともに、例えばカメラの携帯時における揺れや衝撃が生じた場合にもレンズ支持体に揺れやガタツキが生じ難く、耐衝撃性に優れる。
【発明を実施するための最良の形態】
【００２１】
以下、図面を参照しながら、本発明の実施形態について説明する。
【００２２】
図１〜図３には、本発明の第１実施形態が示されている。なお、図１は本実施形態のレンズ駆動装置の断面図、図２の（ａ）は図１のレンズ駆動装置を上側から見た斜視図、図２の（ｂ）はレンズ駆動装置を下側から見た斜視図、図３は図１のレンズ駆動装置の分解斜視図である。
【００２３】
本実施形態に係るレンズ駆動装置１は、携帯電話に組み込まれるオートフォーカスカメラのレンズ駆動装置であり、図１および図３に明確に示されるように、第１レンズ駆動部Ａと第２レンズ駆動部Ｂとを有している。第１レンズ駆動部Ａは、断面コ字形状で円筒形を成す第１ヨーク７を有している。この第１ヨーク７はベース２に装着されている。
【００２４】
第１ヨーク７は、略同心的に配置された内側周壁７ｂと外側周壁７ａとを有しており、内側周壁７ｂには、その周方向に沿って所定の間隔で複数の脚部２５が形成されている。第１ヨーク７のコ字の内部にはマグネット６が配置され、コ字の内部でマグネット６の内周側にはコイル４が配置されている。この場合、マグネット６は、第１ヨーク７の内側周壁７ｂと外側周壁７ａとの間の隙間に収容された状態で、ベース２に固定されている。
【００２５】
第１ヨーク７の内周側には、第１レンズ支持体５が配置されている。この第１レンズ支持体５の外周にはコイル４が固定されている。レンズ支持体５は略円筒形状であり、その内部にレンズ３が収納されるとともに、第１ヨーク７の内周側を光軸に沿って移動自在に取り付けられている。
【００２６】
特に、本実施形態において、第１レンズ支持体５は、第１ヨーク７と摩擦係合することにより光軸方向に摺動する。具体的には、第１レンズ支持体５は、互いに略同心的に配置された内側周壁５ｂおよび外側周壁５ａと、内側周壁５ｂと外側周壁５ａとを接続して内側周壁５ｂと外側周壁５ａとの間に複数の区画された空間２９を形成する区画壁２７とを有しており、第１ヨーク７の脚部２５が空間２９内に個別に収容されることにより、脚部２５が第１レンズ支持体５の外側周壁５ａの内面と摺接するようになっている（脚部２５は、内側周壁５ｂの外面と摺接しても良い）。
【００２７】
一方、第２レンズ駆動部Ｂは、断面コ字形状で円筒形を成す第２ヨーク１２を有している。この第２ヨーク１２は、第１ヨーク７の外側に第１ヨーク７と略同心的に配置されるとともに、第１ヨーク７とコ字を逆にした状態で、ベース２に装着されている。第２ヨーク１２は、略同心的に配置された内側周壁１２ｂと外側周壁１２ａとを有しており、内側周壁１２ｂには、その周方向に沿って所定の間隔で複数の脚部３０が形成されている。第２ヨーク１２のコ字の内部にはマグネット１１が配置され、コ字の内部でマグネット１１の内周側にはコイル９が配置されている。この場合、マグネット１１は、第２ヨーク１２の内側周壁１２ｂと外側周壁１２ａとの間の隙間に収容された状態で、ベース２に固定されている。
【００２８】
第２ヨーク１２の内周側には、第２レンズ支持体１０が配置されている。この第２レンズ支持体１０の外周にはコイル９が固定されている。レンズ支持体１０は略円筒形状であり、その内部にレンズ８が収納されるとともに、第２ヨーク１２の内周側を光軸に沿って移動自在に取り付けられている。
【００２９】
特に、本実施形態において、第２レンズ支持体１０は、第２ヨーク１２と摩擦係合することにより光軸方向に摺動する。具体的には、第２レンズ支持体１０は、互いに略同心的に配置された内側周壁１０ｂおよび外側周壁１０ａと、内側周壁１０ｂと外側周壁１０ａとを接続して内側周壁１０ｂと外側周壁１０ａとの間に複数の区画された空間４２を形成する区画壁４０とを有しており、第２ヨーク１２の脚部３０が空間４２内に個別に収容されることにより、脚部３０が第２レンズ支持体１０の外側周壁１０ａの内面と摺接するようになっている（脚部３０は、内側周壁１０ｂの外面と摺接しても良い）。
【００３０】
なお、上記構成においては、図から分かるように、第１レンズ支持体５と第２レンズ支持体１０は、光軸方向に沿って互いに離間して位置されている。また、このようなレンズ駆動装置１において、第１および第２レンズ支持体５，１０は、コイル４，９に通電して生じる電磁力（フレミングの左手の法則）によりレンズの光軸方向にリニアに移動する。
【００３１】
以上のように、本実施形態において、第１および第２レンズ支持体５，１０は、コイル４，９に通電して生じる電磁力によりレンズの光軸方向にリニアに移動するため、推力の方向とレンズ支持体（レンズ）の移動方向とが一致し、したがって、駆動損失が極めて少ない。その結果、レンズの移動速度を速くでき、応答性を高めることができる。すなわち、本実施形態のレンズ駆動装置１は、駆動損失が少なく、応答性および機動性に優れているため、狭い空間内でレンズを光軸方向に所望量だけ効率的に移動させることができ、小型カメラへの搭載に適している。
【００３２】
また、本実施形態においては、第１ヨーク７と第２ヨーク１２とが（したがって、ヨーク７，１２内に収容されたマグネット４，９およびコイル６，１１同士も）互いに同心的に配置されているため、レンズ駆動装置全体の小型化を図ることができる。
【００３３】
また、本実施形態において、レンズ支持体５，１０は電磁力により移動するものであり、従来のような歯車やカム溝との係合がないのでこれらの精度誤差によるガタツキを防止できるとともに、歯車やカムがないので小型化を図ることができる。
【００３４】
また、本実施形態において、第１および第２レンズ支持体５，１０は、第１および第２ヨーク７，１２と摩擦係合することにより光軸方向に摺動するようになっているため、レンズ支持体５，１０の保持性および機動性に優れ、フォーカスレンズ等の微妙な動きや、ズームレンズ等における倍率固定の要求を十分に満たすことができる。
【００３５】
また、本実施形態においては、周方向に配置されたヨーク７，１２の複数の脚部２５，３０がレンズ支持体５，１０の内面と摺接するようになっているため、ヨーク７，１２に対するレンズ支持体５，１０の保持力を十分に確保した状態で、滑らかな摺動を得ることができる。
【００３６】
また、本実施形態においては、ヨーク７，１２の脚部２５，３０がレンズ支持体５，１０の区画された空間２９，４２内に個別に収容されることにより、脚部２５，３０がレンズ支持体５，１０の周壁と摺接するようになっているため、ヨーク７，１２およびレンズ支持体５，１０の周方向のガタつきを確実に防止して、レンズ支持体５，１０のリニアな移動を確実且つ良好に実現することができる。
【００３７】
また、本実施形態においては、第１レンズ支持体５と第２レンズ支持体１０とが光軸方向に沿って互いに離間して位置されているため、例えば第１レンズ支持体５と第２レンズ支持体１０とにそれぞれズームレンズおよびフォーカスレンズを支持するようにすれば、自動焦点機構および倍率変更機能を兼ね備えたコンパクトな装置を効率的に実現することができる。
【００３８】
図４は、本発明の第２実施形態を示している。本実施形態においては、第１および第２レンズ支持体５，１０がスプリング６０，６２によって保持されており、スプリング６０，６２は、コイルに通電していない状態においてレンズ支持体５，１０をベース２に向けて付勢している。なお、それ以外の構成は、第１実施形態と同一である。
【００３９】
このような構成によれば、スプリング６０，６２によって第１および第２レンズ支持体５，１０が保持されるため、レンズ支持体５，１０を敢えてヨーク７，１２に摺接保持させる必要はなくなる。しかし、本実施形態のように、摺接保持構成と組み合わせても良い。
【００４０】
本実施形態によれば、ヨーク７，１２に対するレンズ支持体５，１０の保持力を十分に確保することができるとともに、例えばカメラの携帯時における揺れや衝撃が生じた場合にもレンズ支持体に揺れやガタツキが生じ難く、耐衝撃性に優れる。
【図面の簡単な説明】
【００４１】
【図１】本発明の第１実施形態に係るレンズ駆動装置の断面図である。
【図２】（ａ）は図１のレンズ駆動装置を上側から見た斜視図、（ｂ）はレンズ駆動装置を下側から見た斜視図である。
【図３】図１のレンズ駆動装置の分解斜視図である。
【図４】本発明の第２実施形態に係るレンズ駆動装置の断面図である。
【符号の説明】
【００４２】
１        レンズ駆動装置
２        ベース
４，９    コイル
５        第１レンズ支持体
６，１１  マグネット
７        第１ヨーク
１０      第２レンズ支持体
１２      第２ヨーク
【図１】
2005234089.tif 000003
【図２】
2005234089.tif 000004
【図３】
2005234089.tif 000005
【図４】
2005234089.tif 000006